(57)【特許請求の範囲】
【請求項１】
遊技盤面部材が遊技盤に取り付けられてなる遊技機であって、
前記遊技盤の前記遊技盤面部材を取り付ける位置に凹部を形成し、
前記凹部の底部に前記遊技盤面部材を取り付けるための取付部材を配設し、
前記遊技盤面部材の裏面に前記凹部へ挿入可能な凸部を形成し、
前記凸部の先端に前記取付部材に吸着させるための吸着部材を配設し、
前記取付部材及び前記吸着部材の一方は磁石であり、他方は強磁性体または磁石であることを特徴とする遊技機。
【請求項２】
前記遊技盤面部材の裏面に突出形成された前記凸部の大きさを前記遊技盤に形成された凹部よりも小さくし、前記吸着部材を前記取付部材に吸着させた状態で、前記遊技盤面部材を前記遊技盤面に対して平行な方向へ移動可能にしたことを特徴とする請求項１に記載の遊技機。
【請求項３】
遊技盤面部材が遊技盤に取り付けられてなる遊技機であって、
前記遊技盤の前記遊技盤面部材を取り付ける位置に貫通孔を形成し、
前記遊技盤の裏面で前記貫通孔により形成された開口に前記遊技盤面部材を取り付けるための取付部材を嵌着し、
前記遊技盤面部材の裏面に前記貫通孔へ挿入可能な凸部を形成し、
前記凸部の先端に前記取付部材に吸着させるための吸着部材を配設し、
前記取付部材及び前記吸着部材の一方は磁石であり、他方は強磁性体または磁石であることを特徴とする遊技機。
【請求項４】
前記遊技盤面部材は、前記遊技盤面上を落下する遊技球の流路を変化させる流路変更部材であることを特徴とする請求項１〜請求項３のいずれか１に記載の遊技機。
【請求項５】
前記流路変更部材は前記凸部に回転軸により支持された風車であり、前記回転軸が、前記凸部の垂線方向に対して傾斜しており、前記凸部の取付位置を前記垂線方向を中心に回転させることで、鉛直方向に対する前記風車の取付角度を変化させ得ることを特徴とする請求項４に記載の遊技機。
【請求項６】
遊技盤面部材が遊技盤に取り付けられてなる遊技機であって、
前記遊技盤の表面で前記遊技盤面部材を取り付ける位置に前記遊技盤面部材を取り付けるための取付部材を配設し、
前記遊技盤面部材の裏面に前記取付部材に吸着させるための吸着部材を配設し、
前記取付部材及び前記吸着部材の一方は磁石であり、他方は強磁性体または磁石であることを特徴とする遊技機。
【請求項７】
前記遊技盤面部材は、入賞口を有する入賞装置であることを特徴とする請求項６に記載の遊技機。
【請求項８】
前記遊技盤面部材は、前記遊技盤を装飾するための装飾部材であることを特徴とする請求項６に記載の遊技機。
【発明の詳細な説明】
【０００１】
【発明の属する技術分野】
本発明は、パチンコ機、アレンジボール、雀球等の遊技機に関し、特に、風車等の遊技盤面部材を遊技盤に配置した遊技機に関するものである。
【０００２】
【従来の技術】
パチンコ機では、遊技盤の表面に、主に、遊技球を左右に振り分ける風車、入賞球を受け入れる入賞装置、普通図柄表示装置の確定図柄が当たり図柄となった場合に両翼を開放する普通電動役物、発光ＬＥＤを内蔵して遊技盤を装飾するサイド飾り等の遊技盤面部材が設けられている。
【０００３】
上述した遊技盤面部材は、一般的に、ねじ等を用いて遊技盤の所定位置に取り付けられる。ここで、遊技盤面部材をねじを用いて遊技盤の所定位置に取り付ける場合、複数のねじを用いて取り付けるため、手間がかかり、取付作業を迅速に行うことができない。また、遊技盤面部材は硬質な合成樹脂（プラスチック）で形成されているため、取付作業の際に、強く締めすぎると、遊技盤面部材に形成されているねじ孔付近に破損を生じてしまう。
【０００４】
上述した問題を解決するため、特開２００１−２６９４４６号公報に開示されるように、弾性体である弾性係止片を遊技盤面部材に配設し、この弾性係止片を用いて遊技盤に取り付けることが提案されている。この弾性係止片は、遊技盤面部材の裏面方向に延びており、裏面方向先端（係合爪）側が外側に開く鉤形状に形成されている。
【０００５】
上述した弾性係止片が配設された遊盤面部材を遊技盤に取り付ける場合、遊技盤に予め貫通孔を形成し、この貫通孔へ弾性係止片を挿通することにより、係合爪が遊技盤の裏面と係合し、弾性係止片が持つ弾性の復原力により、遊技盤面部材を固定する。このようにして、ねじを用いることなく、遊技盤面部材を遊技盤に取り付けている。
【０００６】
【発明が解決しようとする課題】
ここで、遊技盤に取り付けられている遊技盤面部材は、遊技中の遊技球の流下により、損傷やゴミ、油等の付着による汚れが時間経過とともに顕著になる。このため、遊技盤から遊技盤面部材を取り外して、点検、交換等を行わなければならない。しかしながら、上述した弾性係止片により遊技盤に取り付けられている遊技盤面部材を取り外す場合、係合爪が遊技盤の裏面と係合し、弾性係止片が持つ弾性の復原力により、遊技盤面部材を固定しているため、遊技盤面部材を遊技盤から取り外すことは困難であり、強引に取り外そうとすると、係合爪が破損したり、遊技盤に損傷を与えたりする可能性がある。
【０００７】
また、ねじを用いて取り付けられた遊技盤面部材を遊技盤から取り外す場合、取付作業に用いられた複数のねじを取り外さなければならないため、取付作業の場合と同様に、手間がかかり、取外作業を迅速に行うことができない。また、作業中にねじを紛失することもあるため、予備のねじを用意しておく必要がある。
【０００８】
本発明は、上述した課題を解決するためになされたものであり、その目的とするところは、遊技盤面部材を遊技盤に対して容易に着脱させることができる遊技機を提供することを目的とする。
【０００９】
【課題を解決するための手段、および発明の作用・効果】
上記した目的を達成するため、請求項１の遊技機では、遊技盤面部材が遊技盤に取り付けられてなる遊技機であって、
前記遊技盤の前記遊技盤面部材を取り付ける位置に凹部を形成し、
前記凹部の底部に前記遊技盤面部材を取り付けるための取付部材を配設し、
前記遊技盤面部材の裏面に前記凹部へ挿入可能な凸部を形成し、
前記凸部の先端に前記取付部材に吸着させるための吸着部材を配設し、
前記取付部材及び前記吸着部材の一方は磁石であり、他方は強磁性体（鉄、ニッケル等）または磁石であることを技術的特徴とする。
【００１０】
請求項１の発明では、遊技盤に形成した凹部の底部に配設された取付部材と、遊技盤面部材に形成した凸部の先端に配設された吸着部材とを磁石の磁力により取り付けている。
これにより、ねじ等を用いることなく、遊技盤面部材を遊技盤に対して容易に着脱させることができるため、ねじ等による取付・取外作業と比較して、作業を容易に行うことが可能となり、遊技盤面部材の修理や清掃を簡単に行うことができる。更に、弾性係止片等を用いないため、取外作業の際に、遊技盤に損傷を与えることを低減することができる。
また、凹部の底部、凸部先端にそれぞれ取付部材、吸着部材を配置することで遊技盤の表面から離して磁石を位置させるため、遊技盤面上を流下する遊技球への磁力の影響を軽減することができる。
なお、適宜の磁石を選定して適切な磁力となるように調節しておくとよい。
【００１１】
請求項２の発明では、凸部の大きさを遊技盤に形成された凹部より小さくし、吸着部材を取付部材に吸着させた状態で、遊技盤面部材を遊技盤面に対して平行な方向へ移動可能にしている。
これにより、取付位置をずらした状態で遊技盤面部材を遊技盤に取り付けることが可能となるため、遊技者は、例えば、取外・取付作業の左右へずらして取り付けられた遊技盤面部材に対応して遊技球を発射させることになり、遊技の興趣を高めることができる。
【００１２】
請求項３の遊技機では、遊技盤面部材が遊技盤に取り付けられてなる遊技機であって、
前記遊技盤の前記遊技盤面部材を取り付ける位置に貫通孔を形成し、
前記遊技盤の裏面で前記貫通孔により形成された開口に前記遊技盤面部材を取り付けるための取付部材を嵌着し、
前記遊技盤面部材の裏面に前記貫通孔へ挿入可能な凸部を形成し、
前記凸部の先端に前記取付部材に吸着させるための吸着部材を配設し、
前記取付部材及び前記吸着部材の一方は磁石であり、他方は強磁性体または磁石であることを技術的特徴とする。
【００１３】
請求項３の発明では、貫通孔を有する遊技盤の裏面に形成された開口に嵌着された取付部材と、遊技盤面部材の凸部の先端に配設された吸着部材とを磁石の磁力により取り付けている。
これにより、取付部材を遊技盤の裏面に嵌着させているため、取付部材を取り付けるためのねじ等を用いる必要がなく、取付部材を遊技盤に取り付けるための作業を容易に行うことができる。
また、遊技盤の裏面、凸部先端にそれぞれ取付部材、吸着部材を配置することで、遊技盤の表面から最も離して磁石を位置させるため、遊技盤面上を流下する遊技球への磁力の影響を軽減することができる。更に、遊技盤面部材を遊技盤に対して容易に着脱させることが可能となるため、遊技盤面部材の修理や清掃を簡単に行うことができる。
【００１４】
請求項４の発明では、遊技盤面部材として、遊技球の流路を変化させる流路変更部材を用いている。
これにより、流路変更部材を遊技盤に対して容易に着脱させることが可能となるため、流路変更部材の修理や清掃を簡単に行うことができる。また、流路変更部材の取付位置をずらして遊技盤に取り付けることで、遊技球の流路を変化させることが可能となるため、遊技の興趣を高めることができる。
【００１５】
請求項５の発明では、凸部の垂線方向に対して回転軸が傾斜している風車を磁石の磁力により遊技盤に取り付けている。
これにより、風車を遊技盤から取り外した後、凸部の取付位置を凸部の垂線方向を中心に所望の角度回転させて、遊技盤に取り付けることで、鉛直方向に対する風車の取付角度を変化させることが可能となる。このため、遊技球の流路を変化させることができ、遊技の興趣を高めることが可能となる。
【００１６】
請求項６の遊技機では、遊技盤面部材が遊技盤に取り付けられてなる遊技機であって、
前記遊技盤の表面で前記遊技盤面部材を取り付ける位置に前記遊技盤面部材を取り付けるための取付部材を配設し、
前記遊技盤面部材の裏面に前記取付部材に吸着させるための吸着部材を配設し、
前記取付部材及び前記吸着部材の一方は磁石であり、他方は強磁性体または磁石であることを技術的特徴とする。
【００１７】
請求項６の発明では、遊技盤の表面に配設された取付部材と、遊技盤面部材の裏面に配設された吸着部材とを磁石の磁力により取り付けている。
これにより、ねじ等を用いることなく、遊技盤面部材を遊技盤に対して容易に着脱させることができるため、ねじ等による取付・取外作業と比較して、作業を容易に行うことが可能となり、遊技盤面部材の修理や清掃を簡単に行うことができる。更に、弾性係止片等を用いないため、取外作業の際に、遊技盤に損傷を与えることを低減することができる。
【００１８】
請求項７の発明では、入賞口を有する入賞装置を磁石の磁力により遊技盤に取り付けている。
これにより、例えば、第１種始動口に入賞した入賞球を受け入れる普通電動役物を遊技盤に対して容易に着脱させることが可能となるため、普通電動役物の修理や清掃を簡単に行うことができる。また、普通電動役物の取付位置を遊技盤の垂線方向を中心に適宜の角度回転させて、遊技盤に取り付けることで、鉛直方向に対する普通電動役物の取付角度を変化させることができるため、遊技球の入賞確率を変化させ、遊技の興趣を高めることが可能となる。
【００１９】
請求項８の発明では、装飾部材、例えば、同じデザインが形成されたサイド飾り等を遊技盤へ対称に配設している。
これにより、左右のサイド飾りを入れ換えることでサイド飾りの上面と下面とが入れ換わるため、落下する遊技球の衝突により生じたサイド飾り上面の損傷の進行を防止することができる。
【００２０】
【発明の実施の形態】
以下、本発明のパチンコ機の実施形態について図を参照して説明する。
なお、以下の第１実施形態では、本発明のパチンコ機として、ＣＲ第１種のパチンコ機を代表に説明する。まず、第１実施形態のパチンコ機の主要構成について、本実施形態のパチンコ機を正面から見た説明図である図１を参照して説明する。
【００２１】
パチンコ機１０には、外枠１１が備えられており、外枠１１には、内枠１２が開閉可能に取り付けられている。内枠１２には、金枠１４が開閉可能に取付けられており、金枠１４には、ガラス枠２６が開閉可能に取付けられている。ガラス枠２６の裏面側には、遊技盤１３が配置されている。内枠１２の右側には、ガラス枠２６開閉用の鍵を差し込む鍵穴１５を備えた鍵穴飾り１６が設けられている。
【００２２】
ガラス枠２６の下には、前面板１８が設けられており、この前面板１８の左側上部には、賞球及び貸球が導出される上皿賞球排出口１９が形成されており、この上皿賞球排出口１９の排出側には、その上皿賞球排出口１９から排出された遊技球を溜めておくための上皿２０が取り付けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００２３】
下皿２２の右方には、上皿２０から供給された遊技球を遊技盤１３へ発射する発射モータ（図示せず）を操作するための発射ハンドル２３が、回転可能に取付けられており、その発射ハンドル２３には、発射途中で発射を停止するための発射停止ボタン２４が設けられている。また、上皿２０の右方には、上皿２０に溜められた賞球を下皿２２へ抜くための上皿球抜きレバー２５がスライド可能に取付けられている。
【００２４】
さらに、パチンコ機の左側には、プリペイドカードユニット（球貸出機：ＣＲサンド）２７が設けられている。プリペイドカードユニット２７の上部には、球貸出個数設定表示装置２８が設けられている。プリペイドカードユニット２７の下部にはプリペイドカードを挿入するスリット２７ａが設けられている。
【００２５】
次に、第１実施形態の遊技盤の構成について、本実施形態の遊技盤の正面図である図２を参照して説明する。
遊技盤１３は、その前面側に、ガイドレール（外レール４３および内レール４４）で区画される円形の遊技領域内に風車７０、可変入賞装置８０（普通電動役物）やサイド飾り１００等の各種遊技盤面部材が設けられている。
【００２６】
遊技盤１３の遊技領域には、略中央に普通図柄始動記憶３３、普通図柄表示部（図示せず）、特別図柄表示部３４および特別図柄始動記憶３５が一体的に形成されたセンターケース３０が設けられている。センターケース３０の下方には入賞口４１をもつ可変入賞装置８０が設けられ、可変入賞装置８０の下方には大入賞口５１をもつ大入賞装置５０（特別電動役物）が設けられている。センターケース３０の左右両側には風車７０、７０が設けられ、センターケース３０の左側に位置する風車７０の左側及びセンターケース３０の右側に位置する風車７０の右側には、サイド飾り１００、１００が設けられている。また、センターケース３０の左斜め下方向には左袖入賞装置５５、５７が設けられ、右斜め下方向には右袖入賞装置５４、５６が設けられている。
【００２７】
一方、遊技盤１３の裏面側には、各種入賞口から送られる遊技球（入賞球）やアウト口６５から流下する遊技球（アウト球）を回収して裏機構盤の球経路へ排出する集合経路（図示省略）が形成されている。
【００２８】
次に、第１実施形態のパチンコ機に係る遊技盤に取り付けられている風車について図３及び図４を参照して説明する。
図３（Ａ）は、風車７０を示す正面図であり、図３（Ｂ）は、図３（Ａ）に示す３Ｂ−３Ｂ断面図である。また、図４は、図３（Ａ）に示す風車７０の分解図である。
【００２９】
図３（Ａ）、（Ｂ）に示すように、風車７０は、主に、表面側が円盤形状に形成され、裏面側が円柱形状に形成された前面部材７１、支軸７２、支軸７２を中心に回動可能な円柱形状の回動部材７３、点灯することにより風車を装飾する一対の風車用ＬＥＤ７５、風車用ＬＥＤ７５を点灯させる円盤形状の風車用ＬＥＤ基板７４及び円盤形状の鉄板７６等から構成されている。そして、この風車７０には、前面部材７１の裏面に突出形成された円柱形状の突出部７１ｃと風車用ＬＥＤ基板７４とからなる凸部７０ａが形成されており、凸部７０ａの先端には、鉄板７６が配設されている。
【００３０】
図４に示すように、前面部材７１の中央には、支軸７２を挿入し、定着させるための支軸用開口７１ａが形成されており、支軸用開口７１ａの左右両側には、風車用ＬＥＤ７５の点灯による光を放射させるための一対のＬＥＤ用開口７１ｂが形成されている。前面部材７１の表面側には、回動部材７３が位置しており、回動部材７３の回動中心には、回動部材７３を前面部材７１の表面に回動可能に配設させるための支軸７２を貫通させ得る開口７３ａが形成されている。また、前面部材７１の裏面側には、前面部材７１に形成されている一対のＬＥＤ用開口７１ｂと一対の風車用ＬＥＤ７５とを対応させるように、一対の風車用ＬＥＤ７５を備えた風車用ＬＥＤ基板７４が位置している。風車用ＬＥＤ基板７４の中央には、図示しないランプ制御装置への配線を通すための配線用開口７４ａが形成されており、配線用開口７４ａの上方には、風車用ＬＥＤ基板７４を前面部材７１に配設させるためのねじ７７を貫通させ得るねじ孔７４ｂが形成されている。風車用ＬＥＤ基板７４の裏面には、鉄板７６が位置しており、鉄板７６の中央には、上述したランプ制御装置への配線を通すための配線用開口７６ａが形成されており、配線用開口７６ａの上方には、風車用ＬＥＤ基板７４を介して、鉄板７６を前面部材７１に配設させるためのねじ７７を貫通させ得るねじ孔７６ｂが形成されている。
【００３１】
次に、遊技盤１３に取り付けた風車７０について、図５を参照して説明する。
図５は、風車７０を遊技盤１３に取り付けた状態を示す縦断面図である。
第１実施形態の遊技盤１３には、風車７０を取り付ける位置に風車７０の凸部７０ａとほぼ等しい大きさの凹部１３ａが形成されており、この凹部１３ａの底部には、凹部１３ａの底面と同じ大きさの永久磁石７８がねじ７９により固定されている。
【００３２】
上述した底部に永久磁石７８を有する凹部１３ａに対して、先端に鉄板７６が配設された風車７０の凸部７０ａを挿入すると、永久磁石７８の磁力により、凸部７０ａの先端に配設された鉄板７６が永久磁石７８に吸着して、風車７０を遊技盤１３に固定する。
【００３３】
第１実施形態では、遊技盤１３に形成した凹部１３ａの底部に配設された永久磁石７８と、風車７０の裏面側に形成した凸部７０ａの先端に配設された鉄板７６とを磁力により取り付けることにより、ねじ等を用いることなく、風車７０を遊技盤１３に対して容易に着脱させることができる。このため、ねじ等による取付・取外作業と比較して、作業を容易に行うことが可能となり、風車７０の修理や清掃を簡単に行うことができる。更に、弾性係止片等を用いないため、取外作業の際に、遊技盤１３に損傷を与えることを低減することができる。
また、凹部１３ａの底部、凸部７０の先端にそれぞれ永久磁石７８、鉄板７６を配設することで、遊技盤１３の表面から離して永久磁石７８を位置させるため、遊技盤１３上を流下する遊技球への磁力の影響を軽減することができる。
【００３４】
ここで、第１実施形態では、凸部７０ａの先端に鉄板７６を配設し、凹部１３ａの底部に永久磁石７８を配設したが、凸部７０ａの先端に永久磁石を配設し、凹部１３ａの底部に鉄板や永久磁石を配設してもよい。
【００３５】
続いて、第１実施形態の第１改変例について、図６を参照して説明する。なお、第１改変例の風車は第１実施形態と同じであるため、風車について説明を省略する。
図６（Ａ）、（Ｂ）及び（Ｃ）は、第１実施形態の第１改変例に係る遊技盤１３に取り付けられた風車７０を示す横断面図である。
【００３６】
第１実施形態では、風車７０の凸部７０ａとほぼ等しい大きさの凹部１３ａを遊技盤１３に形成したが、第１実施形態の第１改変例では、風車７０の凸部７０ａより大きい凹部を遊技盤１３に形成して、遊技盤１３に風車７０を配設する。
【００３７】
図６（Ａ）に示すように、遊技盤１３には、風車７０の凸部７０ａよりも大きい凹部１３ｂが形成されており、凹部１３ｂの底部には、凹部１３ｂの底面と同じ大きさの永久磁石１７８が配設されている。ここで、図示しないが、凹部１３ｂの底部（永久磁石１７８）は遊技盤１３に対して左右方向を長径とする楕円形状であり、その短径の長さは凸部７０ａの先端面（鉄板７６）の半径と等しくなるように形成されている。
【００３８】
上述した底部に永久磁石１７８を有する凹部１３ｂに対して、先端に鉄板７６が配設された風車７０の凸部７０ａを、図６（Ｂ）、（Ｃ）に示すように、左右方向にずらして遊技盤１３の凹部１３ｂに挿入すると、永久磁石１７８の磁力により、凸部７０ａの先端に配設された鉄板７６が永久磁石１７８に吸着して、風車７０を左右方向にずれた状態で遊技盤１３に固定する。
【００３９】
第１実施形態の第１改変例では、取付位置をずらした状態で風車７０を遊技盤１３に取り付けることにより、遊技者は、取外・取付作業の左右へずらして取り付けられた風車７０に対応して遊技球を発射させることになり、遊技の興趣を高めることができる。
【００４０】
続いて、第１実施形態の第２改変例について、図７を参照して説明する。
図７は、第１実施形態の第２改変例に係る遊技盤１３に風車７０を取り付けた状態を示す縦断面図である。
第１実施形態では、遊技盤１３に風車７０の凸部７０ａとほぼ等しい大きさの凹部１３ａを形成したが、第１実施形態の第２改変例では、図７に示すように、遊技盤１３に風車１７０の凸部１７０ａとほぼ等しい大きさの貫通孔１３ｃを形成し、遊技盤１３の裏面で貫通孔１３ｃの開口にこの開口より大きい永久磁石１７９を嵌着させる。
【００４１】
第２改変例の風車１７０は、前面部材７１の裏面に突出形成された円柱形状の突出部７１ｄと風車用ＬＥＤ基板７４とからなる凸部１７０ａの先端に鉄板７６が配設され、鉄板７６を凸部１７０ａに配設した状態で、貫通孔１３ｃとほぼ等しい長さになるように形成されている。その他の風車１７０の構成は第１実施形態の風車７０とほぼ同様であるため、説明を省略する。
【００４２】
第１実施形態の第２改変例では、永久磁石１７９を遊技盤１３の裏面に嵌着させているため、永久磁石１７９を取り付けるためのねじ等を用いる必要がなく、永久磁石１７９を遊技盤１３に取り付けるための作業を容易に行うことができる。また、永久磁石１７９を遊技盤１３の裏面に配置させることで、遊技盤１３の表面から最も離して永久磁石１７９を位置させるため、遊技盤１３上を流下する遊技球への磁力の影響を軽減することができる。
【００４３】
ここで、第１実施形態の第２改変例では、遊技盤１３に風車１７０の凸部１７０ａとほぼ等しい大きさの貫通孔１３ｃを形成したが、第１実施形態の第１改変例のように、貫通孔１３ｃを遊技盤１３に対して左右方向を長径とする楕円形状にして、その短径の長さを凸部１７０ａの先端面の半径と等しくなるように形成してもよい。
【００４４】
続いて、第１実施形態の第３改変例について、図８〜図１０を参照して説明する。
第１実施形態では、風車７０の支軸７２を風車７０の前面部材７１の垂線方向に一致させているが、第１実施形態の第３改変例では、風車７０の支軸７２を風車７０の前面部材７１の垂線方向に対して傾斜させている。
【００４５】
先ず、第１実施形態の第３改変例に係る風車７０について、図８及び図９を参照して説明する。
図８（Ａ）は、第１実施形態の第３改変例に係る風車７０を示す正面図であり、図８（Ｂ）は、図８（Ａ）に示す８Ｂ−８Ｂ断面図である。また、図９は、図８（Ａ）に示す風車７０の分解図である。
【００４６】
図８（Ａ）、（Ｂ）に示すように、風車７０は、主に、表面側が円盤形状に形成され、裏面側が円柱形状に形成された前面部材７１、前面部材７１の垂線方向に対して角度αだけ傾斜させた円柱形状の支軸７２、支軸７２を中心に回動可能な円柱形状の回動部材７３、点灯することにより風車を装飾する一対の風車用ＬＥＤ７５、風車用ＬＥＤ７５を点灯させる円盤形状の風車用ＬＥＤ基板７４及び円盤形状の鉄板７６等から構成されている。そして、この風車７０には、前面部材７１の裏面に突出形成された円柱形状の突出部７１ｃと風車用ＬＥＤ基板７４とからなる凸部７０ａが形成されており、凸部７０ａの先端には、鉄板７６が配設されている。
【００４７】
図９に示すように、前面部材７１の中央には、前面部材７１の中心を通る垂線に対して角度αだけ傾いている支軸７２を挿入し、定着させるための支軸用開口７１ａが形成されており、支軸用開口７１ａの左右両側には、風車用ＬＥＤ７５の点灯による光を放射させるための一対のＬＥＤ用開口７１ｂが形成されている。前面部材７１の表面側には、回動部材７３が位置しており、回動部材７３の回動中心には、回動部材７３を前面部材７１の表面に回動可能に配設させるための支軸７２を貫通させ得る開口７３ａが形成されている。また、前面部材７１の裏面側には、前面部材７１に形成されている一対のＬＥＤ用開口７１ｂと一対の風車用ＬＥＤ７５とを対応させるように、一対の風車用ＬＥＤ７５を備えた風車用ＬＥＤ基板７４が位置している。風車用ＬＥＤ基板７４の中央には、図示しないランプ制御装置への配線を通すための配線用開口７４ａが形成されており、配線用開口７４ａの上方には、風車用ＬＥＤ基板７４を前面部材７１に配設させるためのねじ７７を貫通させ得るねじ孔７４ｂが形成されている。風車用ＬＥＤ基板７４の裏面には、鉄板７６が位置しており、鉄板７６の中央には、上述したランプ制御装置への配線を通すための配線用開口７６ａが形成されており、配線用開口７６ａの上方には、風車用ＬＥＤ基板７４を介して、鉄板７６を前面部材７１に配設させるためのねじ７７を貫通させ得るねじ孔７６ｂが形成されている。
【００４８】
次に、遊技盤１３に取り付けた風車７０について、図１０を参照して説明する。図１０（Ａ）、（Ｂ）は、風車７０を遊技盤１３に取り付けた状態を示す横断面図である。
なお、第１実施形態の第３改変例に係る遊技盤１３に形成した凹部は、第１実施形態と同じ凹部１３ａであるため、説明を省略する。
【００４９】
図１０（Ａ）、（Ｂ）に示すように、底部に永久磁石７８を有する凹部１３ａに対して、先端に鉄板７６が配設された風車７０の凸部７０ａを挿入すると、永久磁石７８の磁力により、凸部７０ａの先端に配設された鉄板７６が永久磁石７８に吸着して、風車７０を遊技盤１３に固定する。
【００５０】
第１実施形態の第３改変例では、前面部材７１の中心を通る垂線に対して角度αだけ図１０中右方に傾いている支軸７２が配設された風車７０を永久磁石７８の磁力により遊技盤１３に取り付ける（図１０（Ａ）参照）。これにより、風車７０を遊技盤１３から取り外した後、凸部７０ａの取付位置を凸部７０ａの垂線方向を中心に所望の角度（例えば、１８０°）回転させて、再び、遊技盤１３に取り付けることで、風車７０の支軸７２は前面部材７１の中心を通る垂線に対して角度αだけ図１０中左方に傾いて（図１０（Ｂ）参照）、鉛直方向に対する風車７０の取付角度が変化する。このため、取付角度が変化した風車７０に衝突する遊技球の流路を変化させることができ、遊技の興趣を高めることが可能となる。
また、風車７０の取付角度を調節する際に、支軸７２が折れることを防止することができる。
【００５１】
続いて、第２実施形態のパチンコ機に係る遊技盤に取り付けられている可変入賞装置について図１１を参照して説明する。
図１１（Ａ）は、可変入賞装置８０を遊技盤１３に取り付けた状態を示す縦断面図であり、図１１（Ｂ）は、可変入賞装置８０を示す正面図である。また、図１１（Ｃ）は、図１１（Ａ）に示す１１Ｃ−１１Ｃ断面図である。
【００５２】
図１１（Ａ）、（Ｂ）に示すように、可変入賞装置８０には、表面側に前面部材８１が位置しており、前面部材８１の表面には、傾動可能な一対の可動翼片８２、８２が設けられている。前面部材８１の裏面には、後述するソレノイド８５や入賞球の流路等を裏面側に突出させるための開口８６ａを有する鉄板８６（図１１（Ｃ）参照）が設けられている。また、前面部材８１の裏面側には、可動翼片８２、８２を傾動させる電磁式のソレノイド８５が設けられている。
ここで、第２実施形態の遊技盤１３には、可変入賞装置８０を取り付ける位置に開口８６ａを有する鉄板８６と等しい形状の永久磁石８８が配設されている。
【００５３】
上述した構成により、可変入賞装置８０の鉄板８６を遊技盤１３の永久磁石８８上に当接すると、永久磁石７８の磁力により、鉄板８６が永久磁石８８に吸着して、可変入賞装置８０を遊技盤１３に固定する。
【００５４】
第２実施形態では、遊技盤１３の表面に配設された永久磁石８８と、可変入賞装置８０の前面部材８１の裏面に配設された鉄板８６とを磁石の磁力により取り付けている。これにより、ねじ等を用いることなく、可変入賞装置８０を遊技盤１３に対して容易に着脱させることができるため、ねじ等による取付・取外作業と比較して、作業を容易に行うことが可能となり、可変入賞装置８０の修理や清掃を簡単に行うことができる。更に、弾性係止片等を用いないため、取外作業の際に、遊技盤１３に損傷を与えることを低減することができる。
【００５５】
次に、第２実施形態の改変例について、図１２及び図１３を参照して説明する。
第２実施形態では、入賞球が通過する入賞口部材を前面部材８１に固着させた可変入賞装置８０を遊技盤１３に取り付けたが、第２実施形態の改変例では、入賞口部材９３を鉛直方向に対し傾斜させた状態で前面部材９１に取り付けた可変入賞装置９０を遊技盤１３に取り付ける。
【００５６】
次に、可変入賞装置９０について図１２を参照して説明する。
図１２（Ａ）は、可変入賞装置９０を示す正面図であり、図１２（Ｂ）は、入賞球が通過する入賞口部材９３を示す正面図である。また、図１２（Ｃ）は、前面部材９１の裏面に配設されている鉄板９６を示す説明図である。
【００５７】
図１２（Ａ）に示すように、可変入賞装置９０には、表面側に前面部材９１が位置しており、前面部材９１の略中央には、傾動可能な一対の可動翼片９２、９２が設けられている。可動翼片９２の上方には、入賞球が通過する入賞口部材９３が着脱可能に取り付けられており、入賞口部材９３の裏面には、円形状の鉄板９９（図１２（Ｂ）参照）が設けられている。前面部材９１の裏面には、ソレノイドや入賞球の流路等を裏面側に突出させるための開口９６ａ及び入賞口部材９３の鉄板９９と嵌合可能な円形状の開口９６ｂを有する鉄板９６（図１２（Ｃ）参照）が設けられている。また、前面部材９１の裏面側には、可動翼片９２、９２を傾動させる電磁式のソレノイド（図示せず）が設けられている。
ここで、第２実施形態の改変例に係る遊技盤１３には、可変入賞装置９０を取り付ける位置に、開口９６ａ及び開口９６ｂを有する鉄板９６とほぼ等しい形状で開口９６ａに対応する開口を有する永久磁石が配設されている。
【００５８】
入賞口部材９３を鉛直方向に対して傾斜させた状態で遊技盤１３に取り付けられた可変入賞装置９０について図１３を参照して説明する。
図１３（Ａ）、（Ｂ）は、鉛直方向に対して傾いた状態で取り付けられた入賞口部材９３を有する可変入賞装置９０を示す説明図である。
【００５９】
図１３（Ａ）、（Ｂ）に示すように、入賞口部材９３を鉛直方向に対して時計回りに角度β（または反時計回りに角度γ）だけ傾けた状態で前面部材９１に入賞口部材９３を取り付けて、可変入賞装置９０の鉄板９６及び鉄板９９を遊技盤１３の永久磁石上に当接すると、永久磁石の磁力により、鉄板９６及び鉄板９９が永久磁石に吸着して、入賞口部材９３を鉛直方向に対して時計回りに角度β（または反時計回りに角度γ）だけ傾けた状態で可変入賞装置９０を遊技盤１３に固定する。
【００６０】
第２実施形態の改変例では、入賞口部材９３を鉛直方向に対して傾けた状態で可変入賞装置９０を遊技盤１３に取り付けることにより、入賞口部材９３の鉛直方向に対する取付角度を変化させることができる。このため、遊技球の入賞確率を変化させ、遊技の興趣を高めることが可能となる。
【００６１】
続いて、第３実施形態のパチンコ機に係る遊技盤に取り付けられているサイド飾りについて図１４及び図１５を参照して説明する。
先ず、第３実施形態の遊技盤の構成について、第３実施形態のパチンコ機に係る遊技盤の正面図である図１４を参照して説明する。
【００６２】
遊技盤１１３は、その前面側に、ガイドレール（外レール４３および内レール４４）で区画される円形の遊技領域内にサイド飾り１００等の各種遊技盤面部材が設けられている。
【００６３】
遊技盤１１３の遊技領域には、略中央に普通図柄始動記憶３３、普通図柄表示部（図示せず）、特別図柄表示部３４および特別図柄始動記憶３５が一体的に形成されたセンターケース３０が設けられている。センターケース３０の下方には入賞口４１をもつ可変入賞装置８０が設けられ、可変入賞装置８０の下方には大入賞口５１をもつ大入賞装置５０（特別電動役物）が設けられている。センターケース３０の左右両側には風車７０、７０が設けられ、センターケース３０の左側に位置する風車７０の左側及びセンターケース３０の右側に位置する風車７０の右側には、サイド飾り１００、１００が設けられている。また、センターケース３０の左斜め下方向には左袖入賞装置５５、５７が設けられ、右斜め下方向には右袖入賞装置５４、５６が設けられている。
【００６４】
一方、遊技盤１１３の裏面側には、各種入賞口から送られる遊技球（入賞球）やアウト口６５から流下する遊技球（アウト球）を回収して裏機構盤の球経路へ排出する集合経路（図示省略）が形成されている。
【００６５】
次に、第３実施形態の遊技盤に取り付けられているサイド飾りについて図１５を参照して説明する。なお、サイド飾りは同じデザインで一対に遊技盤に取り付けられているため、一方のサイド飾りについて説明し、他方のサイド飾りについては説明を省略する。
図１５（Ａ）は、サイド飾り１００を示す側面図であり、図１５（Ｂ）は、サイド飾り１００を示す正面図である。また、図１５（Ｃ）は、サイド飾り１００の裏面側に配設されている鉄板１０６を示す説明図である。
【００６６】
図１５（Ａ）、（Ｂ）に示すように、サイド飾り１００には、表面側にデザインを対称（図中上下対称）に形成させている装飾カバー１０１が配設されており、装飾カバー１０１の裏面には、４つの装飾カバー用ＬＥＤ１０５を点灯させる装飾カバー用ＬＥＤ基板１０４及び後述する鉄板１０６が配設されている。図１５（Ｃ）に示すように、鉄板１０６には、装飾カバー用ＬＥＤ基板１０４等を裏面側に突出させ、図示しないランプ制御装置への配線を通すための開口１０６ａが形成されている。
ここで、第３実施形態の遊技盤１１３には、サイド飾り１００を取り付ける位置に、開口１０６ａを有する鉄板１０６と等しい形状の永久磁石（図示せず）が配設されている。
【００６７】
上述した構成により、サイド飾り１００の鉄板１０６を遊技盤１１３の永久磁石上に当接すると、永久磁石の磁力により、鉄板１０６が永久磁石に吸着して、サイド飾り１００を遊技盤１１３に固定する。
【００６８】
第３実施形態では、上下対称のデザインが形成されたサイド飾り１００を一対にして遊技盤１１３に配設している。これにより、左右のサイド飾りを入れ換えることでサイド飾り１００の上面と下面とが入れ換わるため、落下する遊技球の衝突により生じたサイド飾り１００の上面の損傷の進行を防止することができる。
【図面の簡単な説明】
【図１】本発明の第１実施形態に係るパチンコ機を示す正面図である。
【図２】本発明の第１実施形態に係るパチンコ機の遊技領域を示す正面図である。
【図３】（Ａ）は、第１実施形態に係る風車を示す正面図であり、（Ｂ）は、（Ａ）に示す３Ｂ−３Ｂ断面図である。
【図４】図３（Ａ）に示す風車の分解図である。
【図５】第１実施形態に係る遊技盤に風車を取り付けた状態を示す縦断面図である。
【図６】（Ａ）、（Ｂ）及び（Ｃ）は、第１実施形態の第１改変例に係る遊技盤に風車を取り付けた状態を示す横断面図である。
【図７】第１実施形態の第２改変例に係る遊技盤に風車を取り付けた状態を示す縦断面図である。
【図８】（Ａ）は、第１実施形態の第３改変例に係る風車を示す正面図であり、（Ｂ）は、（Ａ）に示す８Ｂ−８Ｂ断面図である。
【図９】図８（Ａ）に示す風車の分解図である。
【図１０】（Ａ）及び（Ｂ）は、第１実施形態の第３改変例に係る風車を遊技盤に取り付けた状態を示す横断面図である。
【図１１】（Ａ）は、第２実施形態に係る入賞装置を遊技盤に取り付けた状態を示す縦断面図であり、（Ｂ）は、入賞装置を示す正面図である。また、（Ｃ）は、（Ａ）に示す１１Ｃ−１１Ｃ断面図である。
【図１２】（Ａ）は、可変入賞装置を示す正面図であり、（Ｂ）は、入賞口部材を示す正面図である。また、（Ｃ）は、取付基板の裏面に配設されている鉄板を示す説明図である。
【図１３】（Ａ）、（Ｂ）は、鉛直方向に対して傾いた状態で取り付けられた入賞口部材を有する可変入賞装置を示す説明図である。
【図１４】第３実施形態に係るパチンコ機の遊技領域を示す正面図である。
【図１５】（Ａ）は、サイド飾りを示す側面図であり、（Ｂ）は、サイド飾りを示す正面図である。また、（Ｃ）は、サイド飾りの裏面側に配設されている鉄板を示す説明図である。
【符号の説明】
１０      パチンコ機
１３      遊技盤
１３ａ    凹部
１３ｂ    凹部
１３ｃ    貫通孔
７０      風車（遊技盤面部材、流路変更部材）
７０ａ    凸部
７１      前面部材
７１ｃ    突出部
７１ｄ    突出部
７２      支軸
７４      風車用ＬＥＤ基板
７６      鉄板（吸着部材）
７８      永久磁石（取付部材）
８０      可変入賞装置（遊技盤面部材、入賞装置）
８１      前面部材
８６      鉄板（吸着部材）
８６ａ    開口
８８      永久磁石（取付部材）
９０      可変入賞装置（遊技盤面部材、入賞装置）
９１      前面部材
９３      入賞口部材
９６      鉄板（吸着部材）
９６ａ    開口
９６ｂ    開口
９９      鉄板（吸着部材）
１００    サイド飾り（遊技盤面部材、装飾部材）
１０１    装飾カバー
１０６    鉄板（吸着部材）
１０６ａ  開口
１１３    遊技盤
１７０    風車（遊技盤面部材、流路変更部材）
１７０ａ  凸部
１７８    永久磁石（取付部材）
１７９    永久磁石（取付部材）
22
【図１】
0003888926.tif 000002
【図２】
0003888926.tif 000003
【図３】
0003888926.tif 000004
【図４】
0003888926.tif 000005
【図５】
0003888926.tif 000006
【図６】
0003888926.tif 000007
【図７】
0003888926.tif 000008
【図８】
0003888926.tif 000009
【図９】
0003888926.tif 000010
【図１０】
0003888926.tif 000011
【図１１】
0003888926.tif 000012
【図１２】
0003888926.tif 000013
【図１３】
0003888926.tif 000014
【図１４】
0003888926.tif 000015
【図１５】
0003888926.tif 000016